(57)【要約】【課題】  選択用バットに対する押圧範囲を切替えても、平坦な押圧部となるような、プレッサ装置を備える横編機を提供する。【解決手段】  第１プレッサ５２ａ，５３ａおよび第２プレッサ５２ｂ，５３ｂは、編針の選択用バットが案内される選択経路１６Ｈに臨み、切替え機構で一方のみを使用し、他方を不使用にするように切替えることができる。目移し動作で、第１プレッサ５２ａ，５３ａは、中心線５０ａから離れた度山カム２６，２７の引込み作用を受け側の編針１０が避けるための切替えに使用する。第２プレッサ５２ｂ，５３ｂは、受け側として選針された編針１０の選択用バットを押圧して編成用バットを針溝に沈め、編成用バットが固定ニードルレイジングカム２１の作用を受けないで、受け用トランスファーカム２２の作用を受けるように案内する。【選択図】図１
2015196926.tif 000002
【特許請求の範囲】
【請求項１】
複数の針溝が長手方向に並設される針床と、
各針溝に収容され、針床の先端が臨む歯口に対して進退可能な編針と、
針床の長手方向に往復動するキャリッジと、
キャリッジに搭載され、編針を選択して、針溝に沿って進退するように駆動するカムシステムとを含み、
キャリッジに搭載され、編針の選択用バットが通過する選択経路で使用可能なプレッサ装置を備える横編機において、
プレッサ装置は、
第１押圧部を有する第１プレッサと、
第２押圧部を有する第２プレッサと、
第１プレッサと第２プレッサとを、同一の選択経路で、第１押圧部と第２押圧部とのうちのいずれか一方のみを使用し他方を不使用にするように、かつ第１押圧部と第２押圧部が選択用バットの相対移動方向の長さに関して、共通範囲を含み、かつ全体では異なる範囲を押圧するように切替える切替え機構とを、
含む、
ことを特徴とするプレッサ装置を備える横編機。
【請求項２】
前記第１押圧部と前記第２押圧部とは、前記移動方向に垂直な押圧幅が同一である、
ことを特徴とする請求項１記載のプレッサ装置を備える横編機。
【請求項３】
前記第１プレッサは、前記第１押圧部が遊端側となるように揺動し、第１押圧部を、前記選択経路に臨ませて使用し、選択経路から離隔させて不使用となるように切替え可能であり、
前記第２プレッサは、選択経路に対して出没して使用と不使用とを切替え可能であり、
第１プレッサには、揺動して選択経路に臨む際に、没状態の第２押圧部を収容する収容部が設けられている、
ことを特徴とする請求項１または２記載のプレッサ装置を備える横編機。
【請求項４】
前記カムシステムは、前記往復動に関して、中心線の一方側と他方側とのいずれが先行側となっても同等の動作が可能なように配置され、
前記プレッサ装置は、カムシステムの中心線の両側に、中心線から間隔をあけて、対をなして配置されるプレッサを含み、
各プレッサには、
中心線から離れる外側に前記第１プレッサ、中心線に近い内側に前記第２プレッサがそれぞれ配置され、
キャリッジの移動で中心線に対して先行する側のプレッサでは、カムシステムで選択を受けて前記選択経路に案内された編針の選択用バットに対して、第２プレッサを使用するように、前記切替え機構の切替えが行われ、
キャリッジの移動で中心線に対して後行する側のプレッサでは、編針の選択用バットを第１プレッサで押圧し、度山カムによる引込みを避けるように、切替え機構の切替えが行われる、
ことを特徴とする請求項１〜３のいずれか一つに記載のプレッサ装置を備える横編機。
【発明の詳細な説明】
【技術分野】
【０００１】
本発明は、編針の選択用バットが通過する選択経路に作用可能な、プレッサ装置を備える横編機に関する。
【背景技術】
【０００２】
従来から、横編機では少なくとも前後一対の針床を対向させて、針床の長手方向に沿って並設する針溝に編針を収容している。編針は、針床の長手方向に往復動するキャリッジに搭載するカムシステムで選択的に駆動され、先端のフックが歯口に進退し、編糸で編目を形成する編成動作と、歯口を挟む編針間で編目を渡し受けする目移し動作とを行うことができる（たとえば特許文献１参照）。
【０００３】
図７は、特許文献１の図１に基き、プレッサ装置１を備える横編機２で、編針１０とカムシステム２０との関係を、上方が歯口側となるようにして示す。説明の便宜上、符号は、特許文献１とは変更している部分がある。以下の説明では、キャリッジが左方に移動する場合について説明するけれども、右方に移動する場合は、中心線２０ａに関して対称となるように動作する。また、歯口側を前、歯口から離れる側を後とし、針溝の底面側を下、底面から離れる側を上として説明する。
【０００４】
編針１０は、ニードル本体１１、ニードルジャック１２、セレクトジャック１５およびセレクタ１７を含み、ニードル本体１１のフック１１ａをべら１１ｂで開閉するべら針である。ニードル本体１１は、一側面に目移し用の羽根１１ｃを有する。ニードルジャック１２は、目移し用バット１３、編成用バット１４および後部の弾性脚１２ａを有する。セレクトジャック１５は、選択用バット１６を有する。セレクタ１７は、下げバット１７ａと上げバット１８と、その間の選針用バット１９とを有する。
カムシステム２０は、固定ニードルレイジングカム２１、受け用トランスファーカム２２、可動ニードルレイジングカム２３、トランスファーカム２４，２５、度山カム２６，２７、および上げバットレイジングカム２８，２９を含む。先行側の上げバットレイジングカム２８が突出し、後行側の上げバットレイジングカム２９は没入する。目移し動作時には、可動ニードルレイジングカム２３が没入し、トランスファーカム２４が突出する。
【０００５】
選針アクチュエーター３０，３１は、爪３０ａ，３１ａで選針用バット１９を押圧してセレクタ１７を針溝に沈めるか否かを切替える。先行側に他のカムシステムが存在する場合、そのカムシステムでは後行側となる選針アクチュエーターで一段階目の選針を行う。選針アクチュエーター３０の先行側に他のカムシステムが存在していない場合、キャリッジが左方に移動する前の右方への移動時に、選針アクチュエーター３０は、一段階目の選針を行う。
【０００６】
一段階目の選針でセレクタ１７が針溝に沈められていなければ、セレクトジャック１５は、選択用バット１６がＨポジションとなる位置まで、セレクタ１７によって前進させられる。二段階目の選針で、爪３０ａが選針用バット１９を押圧してセレクタ１７を針溝に沈めれば、上げバット１８は選択経路１８Ｈに沿って移動し、選択用バット１６は、Ｈポジションの位置を保つ。二段階目の選針で選針用バット１９が押圧を受けなければ、上げバット１８は上げバットレイジングカム２８による案内を受け、選択経路１８Ａに沿って移動する。セレクタ１７は、セレクトジャック１５を前進させ、選択用バット１６は、Ａポジションの選択経路１６Ａに沿って移動する。
【０００７】
プレッサ装置１は、カムシステム２０に含まれ、選択用バット１６に作用するように設けられる。Ｈポジションの選択経路１６Ｈに対しては、ハーフプレッサ３２，３３およびタックプレッサ３４が設けられ、選択用バット１６を押圧可能な状態と押圧不可能な状態とを、揺動で個別に切替えることができる。Ｂポジションには、固定プレッサ３５が設けられる。ＡポジションおよびＨポジションで、カムシステム２０によって目移し用バット１３および編成用バット１４を案内する経路は、選択経路１３Ａ，１４Ａおよび選択経路１３Ｈ，１４Ｈにそれぞれ切替えられる。
【０００８】
特許文献１では、ハーフプレッサ３２，３３を外側分割プレッサ３２ａ，３３ａと内側分割プレッサ３２ｂ，３３ｂとに分割可能にして、選択用バット１６に対する押圧範囲を変更可能にしている。ハーフプレッサ３２，３３を分割することによって、先行側では内側分割プレッサ３２ｂのみ使用することができる。選択用バット１６に対する選択経路１６Ｈへの案内は、選択用バット１６が内側分割プレッサ３２ｂの押圧作用を受けるまでに行えばよいので、選針アクチュエーター３０および上げバットレイジングカム２８の位置を中心線２０ａに近付けることができる。後行側のハーフプレッサ３３は、外側分割プレッサ３３ａによって選択用バット１６を押圧し、編成用バット１４が選択経路１４Ｈに沿って案内される際に、度山カム２７の傾斜カム面を乗越えるようにする。ただし、構造上の制約で、内側分割プレッサ３３ｂを使用しないで、外側分割プレッサ３３ａのみ使用することができず、後行側では、内側分割プレッサ３３ｂおよび外側分割プレッサ３３ａの両方を使用する。目移し動作で、Ｈポジションを選択すれば、目移し用バット１３および編成用バット１４は、選択経路１３Ｈ，１４Ｈに沿ってそれぞれ案内され、編針１０を目移しの受け側として動作させることができる。
【先行技術文献】
【特許文献】
【０００９】
【特許文献１】特開２０１２−１４０７１５号公報
【発明の概要】
【発明が解決しようとする課題】
【００１０】
特許文献１に示すようなプレッサ装置１では、ハーフプレッサ３２，３３を分割可能にすることで、上げバットレイジングカム２８，２９および選針アクチュエーター３０，３１を中心線２０ａ側に寄せることができる。これによって、カムシステム２０をコンパクト化し、キャリッジの往復ストロークを短くし、編成効率を向上させることができる。
【００１１】
図８は、分割可能なハーフプレッサ３２の構成を示す。（ａ）および（ｃ）は、外側分割プレッサ３２ａおよび内側分割プレッサ３２ｂの両方を使用する状態を、ハーフプレッサ３２としての正面から見た状態および押圧面となる底面から見た状態でそれぞれ示す。両方の押圧部３２ａＡ，３２ｂＡは、組合わされて一つの押圧部として選択用バット１６を押圧する。（ｂ）および（ｄ）に示すように、外側分割プレッサ３２ａおよび内側分割プレッサ３２ｂには、押圧部３２ａＡ，３２ｂＡとなる斜線のハッチングを施して示す平坦面の両側に、選択用バット１６を円滑に案内するための傾斜面３２ａＢ；３２ｂＢ，３２ｂＣや曲面３２ａＣが設けられている。外側分割プレッサ３２ａの押圧部３２ａＡは、曲面３２ａＣに至るまで続く部分が延長され、選択用バット１６が相対的に移動する図の横方向に垂直な幅方向の厚みは薄くなっている。
【００１２】
外側分割プレッサ３２ａと内側分割プレッサ３２ｂとは、図８（ａ）に示す使用の状態から、紙面に対して押圧部３２ａＡ，３２ｂＡが手前に移動するように揺動して不使用となるように切替えることができる。外側分割プレッサ３２ａと内側分割プレッサ３２ｂの両方を使用する際には、押圧部３２ａＡ，３２ｂＡが接近して組合わされるように、外側分割プレッサ３２ａおよび内側分割プレッサ３２ｂが組合せの際に対向する面には凹所３２ａＤ，３２ｂＤがそれぞれ設けられる。凹所３２ｂＤ付近には、曲面３２ｂＥも設けられる。このように、共に同一方向に揺動して、外側分割プレッサ３２ａと内側分割プレッサ３２ｂとに重なる部分がある構造では、内側分割プレッサ３２ｂを使用しないで、外側分割プレッサ３２ａのみ使用することはできない。
【００１３】
ハーフプレッサ３２は、外側分割プレッサ３２ａを分離して内側分割プレッサ３２ｂのみを使用する場合、押圧部３２ｂＡは単一かつほぼ平坦であるけれども、曲面３２ｂＥが設けられる部分で幅が狭くなる。しかしながら、両方を使用する場合、平坦な押圧部３２ａＡ，３２ｂＡの間に継目が生じ、押圧動作が不安定になるおそれがある。継目を短くするためには、押圧部３２ａＡを曲面３２ａＣ側で部分的に内側分割プレッサ３２ｂに接近するように延長させている。ただし、延長部分は、組合せ用の凹所３２ａＤを設ける必要もあるので、押圧部３２ａＡとしての幅が狭くなり、選択用バット１６への掛かりが不安定になって、踏み外すおそれもあり、押圧を受けて選択用バット１６が偏摩耗するおそれもある。
【００１４】
本発明の目的は、選択用バットに対する押圧範囲を切替えても、幅が狭くなる部分や継目の無い平坦な押圧部となるような、プレッサ装置を備える横編機を提供することである。
【課題を解決するための手段】
【００１５】
本発明は、複数の針溝が長手方向に並設される針床と、
各針溝に収容され、針床の先端が臨む歯口に対して進退可能な編針と、
針床の長手方向に往復動するキャリッジと、
キャリッジに搭載され、編針を選択して、針溝に沿って進退するように駆動するカムシステムとを含み、
キャリッジに搭載され、編針の選択用バットが通過する選択経路で使用可能なプレッサ装置を備える横編機において、
プレッサ装置は、
第１押圧部を有する第１プレッサと、
第２押圧部を有する第２プレッサと、
第１プレッサと第２プレッサとを、同一の選択経路で、第１押圧部と第２押圧部とのうちのいずれか一方のみを使用し他方を不使用にするように、かつ第１押圧部と第２押圧部が選択用バットの相対移動方向の長さに関して、共通範囲を含み、かつ全体では異なる範囲を押圧するように切替える切替え機構とを、
含む、
ことを特徴とするプレッサ装置を備える横編機である。
【００１６】
また本発明は、前記第１押圧部と前記第２押圧部とは、前記移動方向に垂直な押圧幅が同一である、
ことを特徴とする。
【００１７】
また本発明で、前記第１プレッサは、前記第１押圧部が遊端側となるように揺動し、第１押圧部を、前記選択経路に臨ませて使用し、選択経路から離隔させて不使用となるように切替え可能であり、
前記第２プレッサは、選択経路に対して出没して使用と不使用とを切替え可能であり、
第１プレッサには、揺動して選択経路に臨む際に、没状態の第２押圧部を収容する収容部が設けられている、
ことを特徴とする。
【００１８】
また本発明で、前記カムシステムは、前記往復動に関して、中心線の一方側と他方側とのいずれが先行側となっても同等の動作が可能なように配置され、
前記プレッサ装置は、カムシステムの中心線の両側に、中心線から間隔をあけて、対をなして配置されるプレッサを含み、
各プレッサには、
中心線から離れる外側に前記第１プレッサ、中心線に近い内側に前記第２プレッサがそれぞれ配置され、
キャリッジの移動で中心線に対して先行する側のプレッサでは、カムシステムで選択を受けて前記選択経路に案内された編針の選択用バットに対して、第２プレッサを使用するように、前記切替え機構による切替えが行われ、
キャリッジの移動で中心線に対して後行する側のプレッサでは、編針の選択用バットを、第１プレッサで押圧し、度山カムによる引込みを避けるように、切替え機構の切替えが行われる、
ことを特徴とする。
【発明の効果】
【００１９】
本発明によれば、編針の選択用バットが通過する選択経路で使用可能なプレッサ装置は、第１プレッサと、第２プレッサと、切替え機構とを含む。第１プレッサおよび第２プレッサの第１押圧部および第２押圧部は、同一の選択経路で、切替え機構で一方のみを使用し、他方を不使用となるように切替えることができる。各押圧部は、選択用バットの相対移動方向の長さに関して、共通範囲を含み、かつ全体では異なる範囲を押圧するように切替えられても、それぞれ単独で使用される。単独の使用なので、組合せて使用する場合のように、押圧部間に継目が生じて押圧動作が不安定になったり、選択用バットの相対移動方向に対して垂直な押圧幅が狭くなる部分が生じて選択用バットが偏摩耗したりするおそれがないようにすることができる。
【００２０】
また本発明によれば、第１押圧部と第２押圧部とは、選択用バットの相対移動方向に垂直な押圧幅が同一であるので、選択用バットに対して使用する際に、同等に作用させることができる。
【００２１】
また本発明によれば、第１プレッサは、第１押圧部が遊端側となるように揺動して、選択経路に対して第１押圧部を使用するか不使用にするかを切替え可能である。第２プレッサは、選択経路に対して出没して使用すると不使用にするかを切替え可能である。第１プレッサには、揺動して選択経路に臨む際に、没状態の第２押圧部を収容する収容部が設けられているので、第２プレッサを出没させるストロークを小さくして、確実に不使用の状態に切替えることができる。
【００２２】
また本発明によれば、カムシステムは往復動に関して、中心線の一方側と他方側とのいずれが先行側となっても同等の動作が可能なように配置される。プレッサ装置は、カムシステムの中心線の両側に、中心線から間隔をあけて、対をなして配置されるプレッサを含む。各プレッサには、第１プレッサおよび第２プレッサが配置される。たとえば目移し動作で、第１プレッサは、中心線から離れた度山カムによる引込み作用を受け側の編針が避けるために使用し、第２プレッサは、編針を、受け側にするために使用することができる。
【図面の簡単な説明】
【００２３】
【図１】図１は、本発明の一実施例としてのプレッサ装置４１を備える横編機４２の特徴的な構成を簡略化して示すカム配置図である。
【図２】図２は、図１のプレッサ装置４１の構成を、簡略化して示す正面図である。
【図３】図３は、図２のプレッサ装置４１の構成を、切替え機構６０の一部を含んで示す正面図である。
【図４】図４は、図３のプレッサ装置４１の構成を、簡略化して示す平面図である。
【図５】図５は、図３のハーフプレッサ５３、第１プレッサ５３ａを作用させる状態を示す簡略化した右側面図である。
【図６】図６は、図３のハーフプレッサ５３、第２プレッサ５３ｂを作用させる状態を示す簡略化した右側面図である。
【図７】図７は、特許文献１の図１に対応するプレッサ装置１を備える横編機２の特徴的な構成となる、編針１０の側面図およびカムシステム２０のカム配置図である。
【図８】図８は、図７のハーフプレッサ３２の構成を示す正面図および底面図である。
【発明を実施するための形態】
【００２４】
以下、図１から図６で、本発明の一実施例としてのプレッサ装置４１を備える横編機４２の構成および動作を示す。本実施例では、図７および図８で説明している部分に対応する部分には同一の参照符を付して、重複する説明を省略する場合がある。また、説明対象の図には記載されていない部分について、他の図に記載される参照符を付して言及する場合がある。
【実施例】
【００２５】
図１は、プレッサ装置４１を備える横編機４２の特徴的な構成として、プレッサ装置４１を含むカムシステム５０の構成を簡略化して示す。横編機４２は、複数の針溝が長手方向に並設される針床と、各針溝に収容される編針１０と、針床の長手方向に往復動するキャリッジと、キャリッジに搭載され、編針１０を選択して、針溝に沿って進退するように駆動するカムシステム５０とを含む。編針１０は、各針溝に収容され、歯口に対して進退可能である。カムシステム５０は、キャリッジの走行方向である針床の長手方向への往復動に関して、中心線５０ａの一方側と他方側とのいずれが先行側となっても同等の動作が可能なように配置される。図７のカムシステム２０との違いは、カムシステム２０に含まれるプレッサ装置１と、本実施例のカムシステム５０に含まれるプレッサ装置４１との間に存在する。プレッサ装置１のハーフプレッサ３２，３３は、内側分割プレッサ３２ｂ，３３ｂに外側分割プレッサ３２ａ，３３ａを付加するか分離するかで、針床の長手方向に対する押圧範囲を切替える。プレッサ装置４１は、ハーフプレッサ５２，５３を含む。本実施例のプレッサ装置４１は、タックプレッサ３４および固定プレッサ３５も含むけれども、これらのプレッサを含まなくても、あるいはさらに他のプレッサを含んでもよい。ハーフプレッサ５２，５３では、第１プレッサ５２ａ，５３ａと第２プレッサ５２ｂ，５３ｂとが交替して、針床の長手方向に対する押圧範囲が切替えられる。
【００２６】
第１プレッサ５２ａ，５３ａは、図７の外側分割プレッサ３２ａ，３３ａに相当し、揺動変位で選択経路１６Ｈに臨んで選択用バット１６に作用可能な使用状態と、選択経路１６Ｈや他の選択経路１６Ａから離れる不使用状態とを切替えることができる。第２プレッサ５２ｂ，５３ｂは、紙面に垂直な方向への突出と没入の出没変位で、選択経路１６Ｈに対して出没し、針床の長手方向に移動して通過する選択用バット１６を押圧する作用が可能なように使用する状態と、不使用となる状態とを切替えることができる。
【００２７】
第１プレッサ５２ａ，５３ａおよび第２プレッサ５２ｂ，５３ｂは、選択経路１６Ｈで、それぞれ単独で使用されるように切替えられ、選択用バット１６の相対移動方向に対して垂直な押圧幅をそれぞれ一定にすることができる。押圧幅が狭くなる部分がなければ、選択用バット１６が偏摩耗するおそれがない。第１プレッサ５２ａ，５３ａおよび第２プレッサ５２ｂ，５３ｂの押圧幅を同一にすれば、選択用バット１６に対して使用する際に、同等に押圧することができる。
【００２８】
プレッサ装置４１は、カムシステム５０の中心線５０ａの両側に、中心線５０ａから間隔をあけて、対をなして配置される。たとえば目移し動作で、キャリッジが左行する場合の先行側となるハーフプレッサ５２では、第１プレッサ５２ａが揺動して不作用となり、第２プレッサ５２ｂが突出して作用となっている。後行側となるハーフプレッサ５３では、第１プレッサ５３ａが揺動して作用となり、第２プレッサ５３ｂが没入して不作用となっている。第１プレッサ５３ａは、中心線５０ａから離れた後行側の度山カム２７で歯口から退出するように引込む作用を受け側の編針１０が受けないようにするために使用する。第２プレッサ５２ｂは、中心線５０ａに近い先行側で、選択経路１６Ｈに案内された選択用バット１６を押圧可能である。選択経路１６Ｈには、選針アクチュエーター３０による二段階目の選針で選針用バット１９が押圧されて非選針となり、上げバット１８が上げバットレイジングカム２８の作用を受けない編針１０の選択用バット１６が案内される。案内された編針１０は、選択用バット１６への押圧で、目移しの受け側として、編成用バット１４が固定ニードルレイジングカム２１の作用を受けないで、受け用トランスファーカム２２に案内される。
【００２９】
図２は、図１のプレッサ装置４１の構成を、簡略化して示す。（ａ）はキャリッジが左行する場合の切替え状態を示し、（ｂ）はキャリッジが右行する場合の切替え状態を示す。左行の場合、先行するハーフプレッサ５２では、第２プレッサ５２ｂの第２押圧部５２ｂＡが使用され、後行するハーフプレッサ５３では、第１プレッサ５３ａの第１押圧部５３ａＡが使用される。右行の場合、先行するハーフプレッサ５３では、第２押圧部５３ｂＡが使用され、後行するハーフプレッサ５２では、第１押圧部５２ａＡが使用される。第１プレッサ５２ａ，５３ａには、第１押圧部５２ａＡ，５３ａＡから基端側に間隔をあけて、没状態の第２押圧部５２ｂＡ，５３ｂＡを収容する凹部としての収容部５２ａＢ，５３ａＢがそれぞれ設けられている。
【００３０】
第１プレッサ５２ａ，５３ａは、第１押圧部５２ａＡ，５３ａＡが遊端側となるように揺動し、第１押圧部５２ａＡ，５３ａＡを、選択経路１６Ｈに臨ませて使用し、選択経路１６Ｈから離隔させて不使用となるように切替え可能である。第２プレッサ５２ｂ，５３ｂは、選択経路１６Ｈに対して出没して使用と不使用とを切替え可能である。第１プレッサ５２ａ，５３ａの収容部５２ａＢ，５３ａＢは、揺動して選択経路１６Ｈに臨む際に、没状態の第２プレッサ５２ｂ，５３ｂの第２押圧部５２ｂＡ，５３ｂＡを収容することができればよく、貫通させてもよい。不使用の第２押圧部５２ｂＡ，５３ｂＡを収容部５２ａＢ，５３ａＢに収容することができるので、第２プレッサ５２ｂ，５３ｂは、出没させるストロークを小さくして、確実に不使用の状態に切替えることができる。
【００３１】
ハーフプレッサ５２では、（ａ）に示す第２プレッサ５２ｂの第２押圧部５２ｂＡと（ｂ）に示す第１プレッサ５２ａの第１押圧部５２ａＡとは、選択用バット１６の相対移動方向、すなわち針床の長手方向に関し、共通範囲５２Ｘを含み、かつ全体としては異なる範囲を押圧する。ただし、本実施例では、第２押圧部５２ｂＡがほぼ共通範囲５２Ｘと同一であり、第１押圧部５２ａＡのみに共通範囲５２Ｘの外側に個別範囲が付加される。このように共通範囲５２Ｘに個別範囲が付加される第１押圧部５２ａＡは、単一の平坦な押圧部であり、押圧幅が狭くなる部分や継目を生じない。本実施例以外の場合、第２押圧部５２ｂＡにも、共通範囲５２Ｘ外に第１押圧部５２ａＡとは異なる個別範囲を付加することもできる。ハーフプレッサ５３もハーフプレッサ５２と同様に構成することができる。
【００３２】
図３は、図２のプレッサ装置４１の構成を、切替え機構６０の一部とともに示す。キャリッジの基板６１には、針床に臨む表面で、選択用バット１６の頂部が通過する位置１６Ｔよりも針床側にタックプレッサ３４の押圧部や、第１押圧部５２ａＡ，５３ａＡが突出すると、選択用バット１６を押圧することができる。タックプレッサ３４は、ソレノイド３４Ｓで駆動されると押圧状態となり、駆動されないと、トルクばね３４Ｔによる付勢で、押圧しない不作用状態となるように揺動する。第１プレッサ５２ａ，５３ａも、ソレノイド５２ａＳ，５３ａＳでそれぞれ駆動されると押圧状態となり、駆動されないと、トルクばね５２ａＴ，５３ａＴによる付勢で、押圧しない状態となるように揺動する。ソレノイド３４Ｓ，５２ａＳ，５２ｂＳ，５３ａＳ，５３ｂＳは、ソレノイド取付板６２に取付けられる。ソレノイド取付板６２は、トルクばね３４Ｔ，５２ａＴ，５３ａＴとともに、取付けベース６３に取付けられる。切替え機構６０では、ソレノイド５２ｂＳ，５３ｂＳが図４に示すレバー５２ｂＬ１，５２ｂＬ２，５２ｂＬ３；５３ｂＬ１，５３ｂＬ２，５３ｂＬ３を介して第２プレッサ５２ｂ，５３ｂを、基板６１の表面に対して出没するように駆動する。
【００３３】
図４は、図３のプレッサ装置４１の平面構成を、簡略化して示す。図３のソレノイド３４Ｓ，５２ａＳ，５２ｂＳ，５３ａＳ，５３ｂＳは、プランジャの位置のみで示す。第２プレッサ５２ｂ，５３ｂに関連する構成は、取付ベース６３とは別体の取付ベース６４に取付けられ、取付ベース６４と取付ベース６３とを組合せている。取付ベース６４，６４は、一体化することも可能である。ソレノイド５２ｂＳ，５３ｂＳの出力は、レバー５２ｂＬ１，５２ｂＬ２，５２ｂＬ３；５３ｂＬ１，５３ｂＬ２，５３ｂＬ３を介して、第２プレッサ５２ｂ，５３ｂにそれぞれ伝達される。トルクばね５２ｂＴ，５３ｂＴは、レバー５２ｂＬ１，５３ｂＬ１に作用し、第２プレッサ５２ｂ，５３ｂが突出状態となる方向に付勢する。
【００３４】
図５は、図３のハーフプレッサ５３で、第１プレッサ５３ａを作用させる状態を示す。ソレノイド５３ａＳ，５３ｂＳはプランジャを突出させるＯＮ状態となり、トルクばね５３ａＴの付勢に抗して第１プレッサ５３ａは使用状態となり、選択用バット１６を第１押圧部５３ａＡで押圧可能となる。第２プレッサ５３ｂに関しては、レバー５３ｂＬ１がトルクばね５３ｂＴによる付勢に抗して時計まわり方向に揺動する。レバー５３ｂＬ１からレバー５３ｂＬ２を介して、レバー５３ｂＬ３は、反時計まわり方向に揺動するように駆動され、第２プレッサ５３ｂは、基板６１に対して没入する方向である上方に駆動される。
【００３５】
図６は、図３のハーフプレッサ５３で、第２プレッサ５３ｂを作用させる状態を示す。ソレノイド５３ａＳ，５３ｂＳはプランジャを突出させないＯＦＦ状態となり、トルクばね５３ａＴの付勢で第１プレッサ５３ａは不使用状態となる。第２プレッサ５３ｂに関しては、レバー５３ｂＬ１がトルクばね５３ｂＴによる付勢で反時計まわり方向に揺動する。レバー５３ｂＬ１からレバー５３ｂＬ２を介して、レバー５３ｂＬ３は、時計まわり方向に揺動するように駆動され、第２プレッサ５３ｂは、基板６１に対して突出する方向である下方に駆動され、第２押圧部５３ｂＡで選択用バット１６を押圧可能となる。
【００３６】
本実施例のプレッサ装置４１は、図７に示す編針１０に対しては、選択用バット１６の選択経路１６Ｈに臨むように配置されるハーフプレッサ５２，５３に本発明を適用している。本発明は、編針１０と異なる構成の編針でも、選択用バット１６に相当するバットに作用するように適用することができる。プレッサ装置４１を配置する選択経路１６Ｈは、目移し動作で受け側の編針１０に選択する経路であるけれども、編目編成動作で、度山カム２６，２７による編成用バット１４の引込を軽減して、度目値が異なる編目を形成する度違いの経路に、本発明を適用するプレッサ装置を配置することもできる。
【００３７】
また、切替え機構６０では、ソレノイド５２ａＳ，５３ａＳ；５２ｂＳ，５３ｂＳで第１プレッサ５２ａ，５３ａおよび第２プレッサ５２ｂ，５３ｂを駆動しているけれども、モータやシリンダなど、他のアクチュエーターで駆動するようにしてもよい。ソレノイド５２ａＳ，５３ａＳは第１プレッサ５２ａ，５３ａを直接駆動しているけれども、アクチュエーターと第１プレッサ５２ａ，５３ａとの間には、レバー、歯車、ベルトなどを介在させて間接的に駆動してもよい。ソレノイド５２ｂＳ，５３ｂＳはレバー５２ｂＬ１，５３ｂＬ１等を介して第２プレッサ５２ｂ，５３ｂを間接的に駆動しているけれども、アクチュエーターから歯車やベルトなどを介して間接的に駆動したり、直接駆動してもよい。さらに、第１プレッサ５２ａ，５３ａは揺動し、第２プレッサ５２ｂ，５３ｂは出没して切替えが行われるけれども、切替えのための移動は、揺動の方向を異ならせて両方とも揺動にすることもできる。さらにまた、第１プレッサ５２ａ，５３ａまたは第２プレッサ５２ｂ，５３ｂのうちの少なくとも一方は、揺動および出没を組合せて移動してもよい。
【符号の説明】
【００３８】
１０  編針
１６  選択用バット
１６Ｈ  選択経路
４１  プレッサ装置
４２  横編機
５０  カムシステム
５０ａ  中心線
５２，５３  ハーフプレッサ
５２ａ，５３ａ  第１プレッサ
５２ｂ，５３ｂ  第２プレッサ
５２ａＡ，５３ａＡ  第１押圧部
５２ｂＡ，５３ｂＡ  第２押圧部
５２ａＢ，５３ａＢ  収容部
６０  切替え機構
【図１】
2015196926.tif 000003
【図２】
2015196926.tif 000004
【図３】
2015196926.tif 000005
【図４】
2015196926.tif 000006
【図５】
2015196926.tif 000007
【図６】
2015196926.tif 000008
【図７】
2015196926.tif 000009
【図８】
2015196926.tif 000010